(57)【特許請求の範囲】
【請求項１】
ベビーカーの幌装置において、
基部と、
基部に回動自在に設けられた複数の枠体と、
各枠体間に掛け渡された幌本体とを備え、
所望の隣接する枠体間の幌本体はメッシュ材からなり、このメッシュ材の両端部同士は互いに着脱自在となっており、
メッシュ材の両端部には各々ファスナーが取り付けられ、
一方のファスナーは隣接する枠体のうち一方の枠体に沿って設けられ、他方のファスナーは他方の枠体に沿って設けられ、
メッシュ材の両端部同士は、一方のファスナーおよび他方のファスナーの開閉により互いに着脱自在となっていることを特徴とするベビーカーの幌装置。
【請求項２】
メッシュ材以外の幌本体は、気密性の高い材料からなることを特徴とする請求項１に記載のベビーカーの幌装置。
【発明の詳細な説明】
【０００１】
【発明の属する技術分野】
本発明は、陽射しや風を遮断するための幌本体を備えた幌装置に係り、とりわけ幌本体内部の通気性を確保する幌装置に関する。
【０００２】
【従来の技術】
従来より、ベビーカー等の上方を幌本体で覆って、ベビーカー等の内部を陽射しや風から守る幌装置が知られている。
【０００３】
一般に、このような幌装置は、ベビーカー等の基部に設けられた複数の枠体に、幌本体が掛け渡されて構成されている。また、幌装置の幌本体は、陽射しや風を遮断するために、全体に渡って気密性の高い布材等が用いられている。
【０００４】
【発明が解決しようとする課題】
上述のように、幌装置の幌本体は、その全体に渡って気密性の高い布材等が用いられて、陽射しや風を遮っている。
【０００５】
しかしながら、幌本体全体に渡って用いられる布材等は気密性が高いので、幌本体内部に対する適切な通気性を確保することが難しい。
【０００６】
本発明は、このような点を考慮してなされたものであり、陽射しや風を適切に遮断するとともに、幌本体の内部に対する通気性を確保することができる幌装置を提供することを目的とする。
【０００７】
【課題を解決するための手段】
本発明は、ベビーカーの幌装置において、基部と、基部に回動自在に設けられた複数の枠体と、各枠体間に掛け渡された幌本体とを備え、所望の隣接する枠体間の幌本体はメッシュ材からなり、このメッシュ材の両端部同士は互いに着脱自在となっており、メッシュ材の両端部には各々ファスナーが取り付けられ、一方のファスナーは隣接する枠体のうち一方の枠体に沿って設けられ、他方のファスナーは他方の枠体に沿って設けられ、メッシュ材の両端部同士は、一方のファスナーおよび他方のファスナーの開閉により互いに着脱自在となっていることを特徴とするベビーカーの幌装置である。
【０００８】
本発明によれば、所望の隣接する枠体間の幌本体はメッシュ材からなるので、このメッシュ材を通じて、幌本体の内部の通気性が確保される。また、このメッシュ材の両端部は互いに着脱自在となっているので、使用環境に応じてメッシュ材の両端部を着脱することにより、幌本体の内部の通気性を自在に調整することができる。
【００１０】
好ましくは、メッシュ材以外の幌本体は、気密性の高い材料からなる。
【００１１】
【発明の実施の形態】
以下、図面を参照して本発明の一実施の形態について説明する。
【００１２】
図１乃至図５は本発明の一実施形態を示す図である。図１および図２は各々本発明による幌装置を備えたベビーカーの側面図であり、図３および図４は各々本発明による幌装置を備えたベビーカーの正面図である。また図５はベビーカー本体とベビーシートとを示す構成図である。なお、図１および図３は幌本体のうちメッシュ材からなる第三覆い部を開いたときの図であり、図２および図４はこの第三覆い部を閉じたときの図である。図５はベビーカー本体とベビーシートとを示す構成図である。
【００１３】
まず、図１、図２、および図５により本発明による幌装置１を有するベビーカー２全体について説明する。
【００１４】
図１、図２、および図５に示すように、ベビーカー２は、ベビーカー本体６０と、ベビーカー本体６０に設けられたベビーシート７１と、ベビーカー本体６０に設けられた幌装置１と、を備えている。
【００１５】
図５において、符号６０はベビーカー本体であって、前輪６１を有する左右一対の前脚６２、後輪６３を有する左右一対の後脚６４、ほぼＵ字状に屈曲された手押杆６５、左右一対の肘掛け杆６６、及び足乗せ板を兼ねる前側連結部材６７によって構成されている。上記手押杆６５の左右の各前部にはそれぞれ肘掛け杆６６の一端が枢着されており、その各肘掛け杆６６の他端部に前脚６２が枢着されている。また、左右の後脚６４はその上端が肘掛け杆６６に枢着され、その左右の後脚６４の中間部に前記手押杆６５の前端に進退可能に設けられた係止片６５ａが係脱可能としてある。一方、上記左右の後脚６４は後側連結部材６８によって連結され、左右の前脚６２は前記前側連結部材６７によって互いに連結されている。さらに各前脚６２の中間部には連結バー６９の前端が枢着され、その連結バー６９の後端は両端がそれぞれ手押杆６５及び後脚６４に枢着されたＬ字状のブラケット７０の中間部に枢着されている。
【００１６】
しかして、図５に示すように手押杆６５の先端の係止片６５ａを後脚６４の中間部に係止することによってベビーカー本体６０が使用可能な展開状態に保持され、一方手押杆６５に設けられている操作装置Ａを操作することにより上記手押杆６５の先端の係止片６５ａと後脚６４との係合が離脱されると、肘掛け杆６６、前脚６２、後脚６４、及び連結バー６９が揺動可能となり、携帯等に便利なように折り畳むことができる。
【００１７】
ところで、上記ベビーカー本体６０には、その肘掛け杆６６にベビーシート７１の肘掛け部７２ａを上方から載置掛合することによってベビーシート７１が装着固定されている。この場合上記ベビーシート７１を選択的に前後逆にしてベビーカー本体６０に装着することにより、乳幼児の背面からの手押し状態或は対面した手押し状態とすることができる。
【００１８】
ベビーシート７１は主として乳幼児が座る座板７２、背中を保持する背板７３及び頭部を保護するヘッドレスト７４によって構成されている。
【００１９】
上記座板７２の両側には肘掛け部７２ａが一体的に形成されており、左右の両肘掛け部７２ａの先端部間には弧状のガードアーム７５が着脱自在に掛け渡されている。
【００２０】
また、上記座板７２の前縁部には足受け板取付具７６が進退可能に取り付けられている。
【００２１】
背板７３は、図示しない固定装置によって乳幼児の状態に合わせて座板７２に対して複数の傾斜位置に固定可能としてある。また、上記背板７３の上端部にはヘッドレスト７４が揺動可能に枢着されている。
【００２２】
また、ベビーシート７１は、背板２３の折り畳み位置を規制するサイドプレート３２が設けられている。
【００２３】
ところで、ベビーカー本体６０の肘掛け杆６６にベビーシート７１の肘掛け部７２ａを載置係合させることによってベビーカー本体６０にベビーシート７１を装着するのであるが、上記ベビーカー本体に設けられている肘掛け杆６６の外側面には、その上部に下端縁部が弧状に形成された凹部４０が設けられており、その凹部４０にベビーシート７１の肘掛け部７２ａの上記凹部４０に対応した形状に形成された外側板が係合するようにしてある。
【００２４】
また、ベビーカー本体６０の左右の肘掛け杆６６には、Ｕ字状に折曲されたパイプ状のステー４１の左右上端部がそれぞれ固着されている。一方ベビーシート７１の座板７２の下面には、下端が開口し上方に延びる溝４２が形成された少なくとも一つの板状の係止部材４３が突設されている。
【００２５】
しかして、ベビーシート７１をベビーカー本体６０に装着する場合は、ベビーカー本体６０に対してベビーシート７１を下降させると、肘掛け部７２ａの外側板が肘掛け杆６６の凹部４０に案内係合され、ベビーシート７１がベビーカー本体６０の所定位置に容易に載置される。またこれと同時に座板７２の下面に設けられた係止部材４３の溝４２がベビーカー本体６０の左右の肘掛け杆６６間を連結するステー４１に嵌合し、そのステー４１の下部水平部によって座板７２が支承される。
【００２６】
次に、本発明による幌装置１について詳述する。
【００２７】
幌装置１は、ベビーカー本体６０に設けられた幌装置１用の基部６と、基部６に回動自在に設けられた複数、例えば５本の枠体３ａ、３ｂ、３ｃ、３ｄ、３ｅと、各枠体３ａ、３ｂ、３ｃ、３ｄ、３ｅ間に掛け渡された幌本体５とを備えている。なお、各枠体３ａ、３ｂ、３ｃ、３ｄ、３ｅは、基部６を中心にして回動するようになっている。
【００２８】
図１および図３に示すように、各枠体３ａ、３ｂ、３ｃ、３ｄ、３ｅ間の幌本体５は、隣接する各枠体３ａ、３ｂ、３ｃ、３ｄ、３ｅに仕切られて四つの覆い部５ａ、５ｂ、５ｃ、５ｄを形成している。
【００２９】
図１に示す幌装置１において、各枠体３ａ、３ｂ、３ｃ、３ｄ、３ｅを反時計回り方向にそれぞれ第一枠体３ａ、第二枠体３ｂ、第三枠体３ｃ、第四枠体３ｄ、第五枠体３ｅとした場合、各覆い部５ａ、５ｂ、５ｃ、５ｄはそれぞれ第一覆い部５ａ（第一枠体３ａと第二枠体３ｂとの間の覆い部）、第二覆い部５ｂ（第二枠体３ｂと第三枠体３ｃとの間の覆い部）、第三覆い部５ｃ（第三枠体３ｃと第四枠体３ｄとの間の覆い部）、第四覆い部５ｄ（第四枠体３ｄと第五枠体３ｅとの間の覆い部）となる。
【００３０】
幌本体５を構成する各覆い部５ａ、５ｂ、５ｃ、５ｄのうち第三覆い部５ｃは、通気性に優れたメッシュ材からなり、他の第一覆い部５ａ、第二覆い部５ｂ、および第四覆い部５ｄは、陽射しや風を遮断することができるような気密性の高い布材からなる。
【００３１】
また、このメッシュ材からなる第三覆い部５ｃの両端部には、それぞれファスナー４が取り付けられており、このファスナー４は互いに開閉することができるようになっている。
【００３２】
次に、このような構成からなる本実施の形態の作用について説明する。
【００３３】
まず、幼児は、ベビーシート７１に横えられてベビーカー２内に収納される。
【００３４】
幼児を乗せたベビーカー２は、使用態様に応じて各枠体３ａ、３ｂ、３ｃ、３ｄ、３ｅを適宜回動して、ベビーカー２内に収納された幼児を陽射しや風から守るようになっている。
【００３５】
すなわち、基部６に設けられた各枠体３ａ、３ｂ、３ｃ、３ｄ、３ｅを、基部６を中心にベビーシート７１を覆うように回動させることにより、各枠体３ａ、３ｂ、３ｃ、３ｄ、３ｅ間に掛け渡された幌本体５がベビーシート７１を覆う。これにより、幌本体５は、ベビーカー２内の幼児を、陽射しや風から守ることができるようになっている。
【００３６】
なお、各枠体３ａ、３ｂ、３ｃ、３ｄ、３ｅを回動してベビーシート７１を幌本体５で覆う際に、所望の隣接する各枠体３ａ、３ｂ、３ｃ、３ｄ、３ｅ間は開閉自在となっている。これにより、各枠体３ａ、３ｂ、３ｃ、３ｄ、３ｅ間を適宜開閉させて、幌本体５の露出面積を種々変化させることができ、ベビーカー２の使用態様が変わった場合でも、幌本体５を適切な露出面積だけ拡げて、ベビーカー２内の幼児を陽射しや風から適切に守ることができる。
【００３７】
このようなベビーカー２において、メッシュ材からなる第三覆い部５ｃを開いた場合、ベビーカー２内の幼児に対する通気性が確保される。
【００３８】
すなわち、夏場等において、ファスナー４を開き、各枠体３ａ、３ｂ、３ｃ、３ｄ、３ｅを回動して、幌本体５の第一覆い部５ａ、第二覆い部５ｂ、第三覆い部５ｃ、および第四覆い部５ｄを全開にした場合、幌本体５のうち第一覆い部５ａ、第二覆い部５ｂ、および第四覆い部５ｄは、空気の通過が困難である気密性の高い布材からなるので、これらの覆い部５ａ、５ｂ、５ｄを通じて通気性を確保することは難しい。他方、幌本体５のうち第三覆い部５ｃは、通気性に優れたメッシュ材からなるので、ベビーカー２内の幼児に対する通気性を確保することできる（図１および図３参照）。
【００３９】
このように、ファスナー４を開いて、幌本体５の第三覆い部５ｃを開くことにより、ベビーカー２内の幼児と外気との間の通気性は、第三覆い部５ｃを通じて確保される。また、第三覆い部５ｃを形成するメッシュ材を、外部から内部を視覚により確認することができる素材とした場合、ベビーカー２内の幼児を、第三覆い部５ｃを介して外部から視覚により確認することができる。
【００４０】
一方、冬場等において、ベビーカー２内の幼児に外気をあてたくない場合には、第三枠体３ｃと第四枠体３ｄを接近させてファスナー４を閉めることにより、第三覆い部５ｃを閉じる（図２および図４参照）。この場合、幌本体５のうち空気の通過が困難である気密性の高い布材からなる第一覆い部５ａ、第二覆い部５ｂ、および第四覆い部５ｄによりベビーシート７１は覆われるので、ベビーカー２内の幼児と外気との通気を防いで、ベビーカー２内の幼児に対するの保温を確保することができ、同時に、第三覆い部５ｃを外観的に隠すとともに、第三覆い部５ｃを通じて外部から内部を覗くことを防ぐことができる。
【００４１】
次に、第三覆い部５ｃの閉動作について更に詳述する。
【００４２】
幌本体５によりベビーシート７１を覆う際、第三枠体３ｃと第四枠体３ｄとの間を閉じて、第三覆い部５ｃの両端にそれぞれ取り付けられたファスナー４を互いに閉じ合わせる。これにより、各枠体３ａ、３ｂ、３ｃ、３ｄ、３ｅを回動して幌本体５を全開にした場合、ベビーシート７１は、幌本体５のうち第一覆い部５ａ、第二覆い部５ｂ、および第四覆い部５ｄにより覆われることとなり、他方、第三覆い部５ｃは、閉じた状態でベビーシート７１を覆わない。これにより、ベビーシート７１は、幌本体５のうち気密性の高い布材からなる第一覆い部５ａ、第二覆い部５ｂ、および第四覆い部５ｄのみにより覆われて、ベビーカー２内の幼児と外気との通気を防いで、ベビーカー２内の幼児に対する保温を確保することができる。また、第三覆い部５ｃは、ファスナー４が閉められて開かないようになっており、第三覆い部５ｃが開くことを防ぐことができる。
【００４３】
以上説明したように、本実施の形態によれば、幌本体５のうち第三覆い部５ｃは通気性に優れたメッシュ材からなり、幌本体５の他の第一覆い部５ａ、第二覆い部５ｂ、および第四覆い部５ｄは気密性の高い布材からなるので、幌本体５を全開とした場合には、ベビーカー２内に収納された幼児を陽射しや風から守るとともに、ベビーカー２内の幼児に対する通気性を確保することができる。また、第三枠体３ｃと第四枠体３ｄとの間を閉じてファスナー４を閉じることにより、第三覆い部５ｃを閉じることができる。これにより、気密性の高い布材からなる幌本体５のみによりベビーシート７１を覆うことができ、ベビーカー２内の幼児と外気との通気を防いで、ベビーカー２内の幼児に対する保温を確保することができる。このように、環境に応じてメッシュ材からなる第三覆い部５ｃを開閉することにより、ベビーカー２内に収納された幼児に対する通気性を自在に調整することができる。
【００４４】
なお、枠体３ａ、３ｂ、３ｃ、３ｄ、３ｅは５本に限られず、所望本数の枠体をベビーカー２に設けることができる。また、幌本体５のうちメッシュ材を用いるのは第三覆い部５ｃに限られず、必要に応じて所望の領域にメッシュ材を用いてもよい。また、本実施の形態においては、ベビーシート７１がベビーカー本体６０に対して着脱可能なタイプのベビーカー２について説明したが、本発明における幌装置１は、その他のタイプのベビーカー、例えばシートが本体に対して固定構造のものにも使用することができる。
【００４５】
【発明の効果】
以上説明したように、本発明によれば、所望の隣接する枠体間の幌本体はメッシュ材からなり、このメッシュ材の両端部は互いに着脱自在となっている。このため、幌装置の幌本体により幌本体内部に対する陽射しや風を適切に遮断することができる。また、使用態様に応じてメッシュ材の両端部を互いに着脱して、幌本体内部の通気性を調整することができる。
【図面の簡単な説明】
【図１】本発明による幌装置を備えたベビーカーの側面図であって、第三覆い部を開いた状態を示す図。
【図２】本発明による幌装置を備えたベビーカーの側面図であって、第三覆い部を閉じた状態を示す図。
【図３】本発明による幌装置を備えたベビーカーの正面図であって、第三覆い部を開いた状態を示す図。
【図４】本発明による幌装置を備えたベビーカーの正面図であって、第三覆い部を閉じた状態を示す図。
【図５】ベビーカー本体とベビーシートとを示す構成図。
【符号の説明】
１  幌装置
２  ベビーカー
３ａ  第一枠体
３ｂ  第二枠体
３ｃ  第三枠体
３ｄ  第四枠体
３ｅ  第五枠体
４  ファスナー
５  幌本体
５ａ  第一覆い部
５ｂ  第二覆い部
５ｃ  第三覆い部
５ｄ  第四覆い部
６  基部
４０  凹部
４１  ステー
４２  溝
４３  係止部材
６０  ベビーカー本体
６１  前輪
６２  前脚
６３  後輪
６４  後脚
６５  手押杆
６５ａ  係止片
６６  肘掛け杆
６７  前側連結部材
６８  後側連結部材
６９  連結バー
７０  ブラケット
７１  ベビーシート
７２  座板
７２ａ  肘掛け部
７３  背板
７４  ヘッドレスト
７５  ガードアーム
７６  足受け板取付具
【図１】
0004722334.tif 000002
【図２】
0004722334.tif 000003
【図３】
0004722334.tif 000004
【図４】
0004722334.tif 000005
【図５】
0004722334.tif 000006